(57)【要約】【課題】診察待ちの患者を適切な時期に自動的に呼び出すことができるようにして、診療の全体的な効率を向上させる。【解決手段】電子カルテ機能のモードを切り換える切換入力操作に関連付けて設定された呼出タイミングを保持している手段と、患者の診察待ち順を保持している手段と、電子カルテ機能のモードの切換入力操作により前記呼出タイミングが検出された場合は前記待ち順記憶手段での待ち順が先頭の患者を呼び出す音声を出力する手段とを有する診療支援システム。【選択図】　　　図２
2004110535.tif 000002
【特許請求の範囲】
【請求項１】
編集モードで入力された診療情報を患者に対応付けて電子カルテに記録するとともに参照モードで再生を指示された診療情報を前記電子カルテから再生する電子カルテ機能を有する診療支援システムであって、
前記電子カルテ機能のモードを切り換える切換入力操作に関連付けて設定された呼出タイミングを保持しているタイミング保持手段と、
患者の診察待ち順を保持している待ち順記憶手段と、
前記電子カルテ機能のモードの切換入力操作により前記呼出タイミングが検出された場合は前記待ち順記憶手段での待ち順が先頭の患者を呼び出す音声を出力する音声出力手段と、
を有することを特徴とする診療支援システム。
【請求項２】
請求項１に於いて、
前記電子カルテ機能のモードの切換入力操作は、参照モードを編集モードに切り換える入力操作である、
ことを特徴とする診療支援システム。
【請求項３】
請求項１に於いて、
前記電子カルテ機能のモードの切換入力操作は、編集モードで入力したデータを保存して編集モードを終了する入力操作である、
ことを特徴とする診療支援システム。
【請求項４】
請求項１に於いて、
前記電子カルテ機能のモードの切換入力操作は、患者を選択して参照モードを起動する入力操作である、
ことを特徴とする診療支援システム。
【請求項５】
請求項４に於いて、
編集モードに切り換えることなく参照モードを終了する入力操作が検出された場合に現在の患者の状態を操作者に切り換えさせる手段を更に有する、
ことを特徴とする診療支援システム。
【請求項６】
請求項２又は請求項３に於いて、
編集モードに切り換えることなく参照モードを終了する入力操作が検出された場合に前記音声出力の可否を操作者に問う可否確認手段を更に有し、
前記音声出力手段は、前記可否確認手段の問いに対して前記音声出力可の旨が操作入力された場合は前記音声出力を行う、
ことを特徴とする診療支援システム。
【請求項７】
請求項６に於いて、
前記音声出力を行う場合に現在の患者の状態を操作者に切り換えさせる手段を更に有する、
ことを特徴とする診療支援システム。
【発明の詳細な説明】
【０００１】
【発明の属する技術分野】
本発明は、編集モードで入力された診療情報を患者に対応付けて電子カルテに記録するとともに参照モードで再生を指示された診療情報を前記電子カルテから再生する電子カルテ機能を有する診療支援システムに関する。
【０００２】
【従来の技術】
医療機関に於いて、次の患者（診察待ちの先頭の患者）を診察室へ呼び出す場合には、診察室の医師や看護婦或いは受付の事務員等が、受付順や患者の現在の状態（診療待ち，検査待ち，診療中，投薬待ち等）を、手作業或いは受付等を管理するソフトウェアを用いて調べて診察待ちの先頭患者を抽出し、該患者の氏名を実際に声に出して呼ぶことにより行っている。
【０００３】
受付時刻や予約の有無等に基づいて外来患者の診察待ち順を管理する技術が知られている（特許文献１参照）。
【０００４】
【特許文献１】
特開平８−１５３１４０号公報
【０００５】
【発明が解決しようとする課題】
診察待ちの患者を適切な時期に自動的に呼び出すことにより、医師や看護婦等が次の患者を調べて呼び出すという煩雑な作業を無くし、もって、診療の全体的な効率を向上させたいという要請がある。
本発明は、かかる要請に応えることを目的とする。
【０００６】
【課題を解決するための手段】
本発明は、下記［１］〜［７］のように構成される。
［１］　編集モードで入力された診療情報を患者に対応付けて電子カルテに記録するとともに参照モードで再生を指示された診療情報を前記電子カルテから再生する電子カルテ機能を有する診療支援システムであって、
前記電子カルテ機能のモードを切り換える切換入力操作に関連付けて設定された呼出タイミングを保持しているタイミング保持手段と、
患者の診察待ち順を保持している待ち順記憶手段と、
前記電子カルテ機能のモードの切換入力操作により前記呼出タイミングが検出された場合は前記待ち順記憶手段での待ち順が先頭の患者を呼び出す音声を出力する音声出力手段と、
を有することを特徴とする診療支援システム。
【０００７】
［２］前記［１］に於いて、
前記電子カルテ機能のモードの切換入力操作は、参照モードを編集モードに切り換える入力操作である、
ことを特徴とする診療支援システム。
【０００８】
［３］　前記［１］に於いて、
前記電子カルテ機能のモードの切換入力操作は、編集モードで入力したデータを保存して編集モードを終了する入力操作である、
ことを特徴とする診療支援システム。
【０００９】
［４］　前記［１］に於いて、
前記電子カルテ機能のモードの切換入力操作は、患者を選択して参照モードを起動する入力操作である、
ことを特徴とする診療支援システム。
【００１０】
［５］　前記［４］に於いて、
編集モードに切り換えることなく参照モードを終了する入力操作が検出された場合に現在の患者の状態を操作者に切り換えさせる手段を更に有する、
ことを特徴とする診療支援システム。
【００１１】
［６］　前記［２］又は［３］に於いて、
編集モードに切り換えることなく参照モードを終了する入力操作が検出された場合に前記音声出力の可否を操作者に問う可否確認手段を更に有し、
前記音声出力手段は、前記可否確認手段の問いに対して前記音声出力可の旨が操作入力された場合は前記音声出力を行う、
ことを特徴とする診療支援システム。
【００１２】
［７］　前記［６］に於いて、
前記音声出力を行う場合に現在の患者の状態を操作者に切り換えさせる手段を更に有する、
ことを特徴とする診療支援システム。
【００１３】
【発明の実施の形態】
図１〜図４を参照して、本発明の実施の形態の診療支援システム（電子カルテ機能を備えたコンピュータシステム）を説明する。
【００１４】
図１に於いて、ＬＡＮ上の各コンピュータ１０（１０−０，１０−１，１０−２，，，１０−ｎ）は、それぞれ、ＣＰＵ，ＲＡＭ，ＲＯＭ，ハードディスク等で構成される。また、各コンピュータ１０には、ＣＲＴ又は液晶モニタ等の表示装置１２、キーボード及びマウス又は他のポインティングディバイスで構成される入力装置１３等の周辺装置が適宜に接続されている。なお、サーバ装置は、図１では診察室等に設けられる端末装置とは別の装置として示されているが、何れかの端末装置でサーバ装置を兼用してもよい。
【００１５】
待合室には、ディジタル音声データを音声に変換する音声合成機能を備えた音声出力装置１７が設けられている。この音声出力装置１７もまた、ＬＡＮに接続されている。なお、音声出力装置１７を、ＬＡＮではなく、サーバ装置に接続するように構成してもよい。
【００１６】
任意の端末装置ｉのコンピュータ１０−ｉには、公知の電子カルテ機能を実現するためのソフトウェアや、次患者呼出機能（図２参照；後述）を実現するためのソフトウェアが搭載されている。また、任意の端末装置ｉのコンピュータ１０−ｉには、自装置又は他の端末装置へ指示箋を発行するためのソフトウェアも搭載されている。指示箋とは、医師が看護婦や検査技師等の医療スタッフに処置や検査等を指示するための電子書面であり、指示箋として入力された情報は、経過等や処方等を記録する電子カルテとは別の領域に保持される。
【００１７】
サーバ装置のコンピュータ１０−０のハードディスク１０４−０には、各端末装置の電子カルテ機能で用いられる診療情報データベースが格納されているとともに、端末装置と該端末装置が設置されている診察室等（診察室，検査室、処置室等）とを対応付ける端末装置−診察室テーブル（図４（ｂ）参照）が格納されている。上記診療情報データベースには、患者毎に且つ受診毎に経過等や処方等の各種の診療情報が記録されている。診療情報データベースを構成する各種のテーブルやそれらの記録項目等は公知であり、本発明の要旨でもないため、説明は省略する。また、端末装置−診察室テーブルについては後述する。
【００１８】
サーバ装置のコンピュータ１０−０のＲＡＭ１０２−０には、受診日毎に当日の待ち行列テーブルが作成される。待ち行列テーブルは、図４（ａ）に一例を示すように、受け付けした患者の診察待ちの順番を診察室毎に管理するテーブルであり、患者が受け付けられる毎にレコードが新規に追加される。待ち行列テーブル中の「状態」項目のデータ値は、患者の現在の状態（検査待ち，処方中，診療待ち，診療中，投薬待ち，会計待ち）を示すべく、図示の各端末装置或いは検査や処置等の実施スタッフが携帯する携帯情報端末（不図示）からのＬＡＮを介する入力に応じて、随時更新される（図２・Ｓ３７；参照）。詳細は後述する。また、待ち行列テーブル中の「診察室等コード」は、前記端末装置−診察室テーブル中の「診察室等コード」と共通である。また、待ち行列テーブル中の「診察室別待ち順」項目のデータ値の更新については後述する。
【００１９】
図１のシステムの機能を、図２〜図３のフローチャートに即して、且つ、図４のテーブルを参照して、説明する。図２は任意の端末装置ｉでの次患者呼出手順を説明するフローチャート、図３はサーバ装置での次患者呼出手順を説明するフローチャートである。
【００２０】
（１）端末装置ｉでの次患者呼出手順（図２）：
まず、端末装置ｉの呼出タイミングの設定状態を取得する（Ｓ０１）。
呼出タイミングとして、本診療支援システムでは、（１）電子カルテの入力開始時、（２）電子カルテの入力終了時、（３）電子カルテの患者選択画面での患者選択時、の何れか一つが、端末装置毎に予め設定されている。即ち、各端末装置は、自装置に設定されている呼出タイミングを、ハードディスク内の所定の領域に保持している。なお、この設定は、端末装置毎に変更可能である。
【００２１】
上記に於いて、入力開始時とは、電子カルテの参照状態（参照モード）を、編集状態（編集モード）に切り換える入力操作の検出タイミングである。換言すれば、既記録の診療情報を表示するカルテ２号紙画面を、経過等や処方等の入力画面に切り換える入力操作の検出タイミングである。また、入力終了時とは、編集モード（経過等や処方等の入力画面）で入力したデータを保存する入力操作の検出タイミングである。また、患者選択時とは、患者選択画面内に示される中から所望の患者を選択するダブルクリック等の入力操作の検出タイミングである。
【００２２】
次に、呼出タイミングか否かチェックする（Ｓ１１）。即ち、
呼出タイミングとして「（１）電子カルテの入力開始時」が端末装置ｉに設定されている場合は、電子カルテの参照モードを編集モードに切り換える操作入力の検出時を、呼出タイミングと判定する（Ｓ１１でＹＥＳ）。
また、呼出タイミングとして「（２）電子カルテの入力終了時」が端末装置ｉに設定されている場合は、編集モード（経過等や処方等の入力画面）でデータが入力された後に該入力データを保存するための操作入力が検出された時を、呼出タイミングと判定する（Ｓ１１でＹＥＳ）。
また、呼出タイミングとして「（３）電子カルテの患者選択画面での患者選択時」が端末装置ｉに設定されている場合は、患者選択画面で患者を選択する操作入力の検出時を、呼出タイミングと判定する（Ｓ１１でＹＥＳ）。
【００２３】
チェックの結果、呼出タイミングと判定されると（Ｓ１１でＹＥＳ）、端末装置ｉが設置されている診察室ｊへ次の患者を入室させるように、サーバ装置に対して指示する（Ｓ１７）。但し、端末装置ｉに「（３）電子カルテの患者選択画面での患者選択時」が呼出タイミングとして設定されている場合（Ｓ１３でＹＥＳ）、つまり、今回の呼出タイミングが患者を選択する操作入力の検出による呼出タイミングである場合（Ｓ１３でＹＥＳ）は、該検出された操作入力の直前に端末装置ｉで開かれていた電子カルテが編集モードへ切り換えられることなく参照モードのまま閉じられていたか否かチェックし、参照モードのまま閉じられていた場合は（Ｓ１５でＹＥＳ）、Ｓ３７の処理（現在の患者の状態を更新する処理；詳細は後述）を実行した後に、上記の患者呼出指示を出す。これは、次の患者を呼び出すに先立って、現在の患者（＝直前に電子カルテが開かれていた患者）の状態（＝診療中）を適正に更新しておくためである。
【００２４】
チェックの結果、呼出タイミングでない場合でも（Ｓ１１でＮＯ）、カルテが参照モードで閉じられた場合は（Ｓ２１でＹＥＳ）、端末装置ｉに「（１）電子カルテの入力開始時」又は「（２）電子カルテの入力終了時」の何れか一方が呼出タイミングとして設定されているか否かチェックし、何れか一方が呼出タイミングとして設定されている場合は（Ｓ２３でＮＯ）、ステップＳ３１〜Ｓ３７の処理（後述）を実行した後に、端末装置ｉが設置されている診察室ｊへ次の患者を入室させるように、サーバ装置へ呼出指示を出す（Ｓ１７）。
【００２５】
ここで、ステップＳ３１〜Ｓ３５の処理を説明する。
まず、端末装置ｉが設置されている診察室ｊへ次の患者を呼び出すべきか否かの可否をユーザ（医師や看護婦等の端末操作者）に問う確認画面を表示して（Ｓ３１）、ユーザによる可否入力を待機する（Ｓ３３）。
【００２６】
上記確認画面にて可否が入力され（Ｓ３３でＹＥＳ）、且つ、その入力が「次の患者の呼び出しを「可」とする入力であった場合は（Ｓ３５でＹＥＳ）、現在の患者（＝編集モードへ切り換えられることなく参照モードのまま電子カルテが閉じられた患者）の状態を適正に更新する処理（Ｓ３７；詳細は後述）を実行した後、端末装置ｉが設置されている診察室ｊへ次の患者を入室させるように、サーバ装置へ呼出指示を出す（Ｓ１７）。
【００２７】
上記確認画面にて可否が入力され（Ｓ３３でＹＥＳ）、且つ、その入力が「次の患者の呼び出しを「否」とする入力であった場合は（Ｓ３５でＮＯ）、前記ステップＳ１１へ戻り、上述の処理を繰り返す。即ち、この場合、次の患者を診察室ｊへ入室させるための呼出指示は出されない。
【００２８】
前記確認画面でのユーザの可否入力に応じて「次の患者を診察室ｊへ呼び出す指示を出す」／「次の患者を診察室ｊへ呼び出す指示を出さない」というＳ３１〜Ｓ３５の処理は、下記（イ）〜（ハ）の事情を考慮したものである。
【００２９】
（イ）現在の患者に血液検査やレントゲン撮影等を行い、その結果を診療に生かしたい場合、医師は、検査等の指示箋を発行（先述したように、指示箋の発行は、電子カルテへの入力ではない。）して検査技師等に所望の検査等を実施させる一方で、検査結果が出るまでの時間を利用して次の患者の診察に取りかかることがある。そのような場合、現在の患者の電子カルテは参照モードのまま閉じられる。換言すれば、編集モードへは切り換えられず、したがって、カルテ入力も行われない。
【００３０】
（ロ）呼び出した患者が待合室に不在であった等のために診察室に入って来なかったような場合も、該不在患者の電子カルテは参照モードのまま閉じられる。つまり、編集モードへは切り換えられず、カルテ入力も行われない。
【００３１】
したがって、上記（イ）（ロ）の何れの場合も、そのままでは次の患者を自動的に呼び出すことができなくなるという不具合がある。なぜならば、端末装置ｉに「（１）電子カルテの入力開始時」又は「（２）電子カルテの入力終了時」の何れか一方が呼出タイミングとして設定されている場合には、カルテ入力が行われることが次の患者を自動的に呼び出すために必須となるからである。
このことを考慮して、カルテが参照モードで閉じられた場合にもステップＳ１７へ進み得るようにして、次の患者の自動呼出を実行可能としている。
【００３２】
上述のように、上記（イ）（ロ）は、そのままでは次の患者を自動的に呼び出すことができなくなることを不具合と解するものであるが、この不具合を解消するべく、カルテが参照モードで閉じられた場合は（Ｓ２１でＹＥＳ，且つ，Ｓ２３でＹＥＳ）直ちにステップＳ１７へ進むように処理を設定して、次の患者を自動的に呼び出すようにすると、次の患者を呼び出すべきでない場合までも、自動的に呼び出してしまうという上記（イ）（ロ）とは逆の下記（ハ）の不具合が生ずる。
【００３３】
（ハ）例えば、患者の前での電子カルテの参照表示を必要最小限にとどめ、患者の前では電子カルテを入力しない方針の医師もいる。そのような医師は、診療中であっても電子カルテを参照モードのまま閉じることが多い。しかし、このような場合に、電子カルテが閉じられた時点で次の患者を呼び出すことは明らかに誤りである。
【００３４】
このため、本診療支援システムでは、次の患者を呼び出すべきか否かの可否をユーザに問う確認画面を表示し（Ｓ３１）、ユーザによる可否入力の結果に応じて、次の患者を呼び出し（Ｓ１７）、又は、呼び出さないように処理を設定しているのである。
【００３５】
次に、ステップＳ３７の処理を説明する。
現在患者の状態更新処理（Ｓ３７）は、診察室へ呼び出したために状態が「診療中」となっている患者であって、その後、編集モードに切り換えられることなく参照モードのままカルテが閉じられたために依然として状態が「診療中」のままである患者の状態を、適正な状態に更新する処理である。
【００３６】
この処理は、例えば、「診療中」という状態を、その直前の状態である「診療待ち」に自動的に戻す処理とすることができる。呼び出したにもかかわらず待合室に不在であったために診察室に入室せず、このため、カルテが編集モードに切り換えられることなく参照モードのまま閉じられた患者の場合（＝前記（ロ）の場合）は、この処理でよい。
【００３７】
しかし、診療に先立って血液検査等の検査を行うためにカルテを参照モードのまま閉じた患者の場合（＝前記（イ）の場合）には、状態を「診療待ち」に戻すことは著しく妥当性を欠く。例えば、「診療待ち」に戻された患者が検査のために待合室に不在であるにもかかわらず、何回も続けて該患者を呼び出すような事態が生ずる恐れもある。したがって、この場合は「検査待ち」とする方がより良い。このことから、通常は「診療待ち」に戻し、検査の指示箋が発行されている場合は「検査待ち」にするような状態更新処理（Ｓ３７）を採用すると、より適正な更新が可能となる。
【００３８】
しかし、上記のように改良した状態更新処理（Ｓ３７）でも、前記（ハ）の場合、即ち、患者の前ではカルテ入力を行わない方針の医師の場合には、診療が終了したにもかかわらず「診療待ち」に戻されてしまうという不具合が生ずる。このため、状態更新処理（Ｓ３７）として、例えば、検査の指示箋が発行されている場合は「検査待ち」にし、発行されていない場合はユーザの操作入力による状態指定を行わせるような処理を採用してもよい。
【００３９】
状態を「診療待ち」に戻す場合、待ち順（診察室別待ち順）を幾つ戻すかが問題となる。待ち順が先頭になるように自動的に１つ戻すようにしてもよいが、１つ戻すのみでは妥当性を欠く場合もある。このため、例えば、ユーザの操作入力により待ち順の戻し数を指定するようにしてもよい。なお、現在の患者の待ち順の戻しに連動して、待ち行列内に配列されている他の患者の待ち順も、当然に変更する（繰り下げる等する）必要が生ずる。現在の患者の待ち順の戻しに連動して、該戻しが影響する他の患者の待ち順を繰り下げる処理は公知であるため、説明は省略する。
【００４０】
（２）サーバ装置での次患者呼出手順（図３）：
前記のようにして端末装置ｉが呼出指示を出し（Ｓ１７）、これがサーバ装置で受信されると（Ｓ５１でＹＥＳ）、まず、送信元の端末装置ｉに対応する診察室ｊ（＝送信元端末装置ｉが設置されている診察室ｊ）を、端末装置−診察室テーブル（図４（ａ））から取得する（Ｓ５３）。
【００４１】
次に、待ち行列テーブル（図４（ｂ））から、診察室等コードが診察室ｊのコードであり、且つ、状態が「診療待ち」である先頭患者（診察室別待ち順が最も若い患者）の氏名を取得する（Ｓ５５）。
【００４２】
こうして取得した氏名の患者を診察室ｊへ呼び出す（入室させる）音声を合成するための音声データを作成して、音声出力装置１７へ送信する（Ｓ５７）。これにより、音声出力装置１７は、上記氏名の患者を診察室ｊへ呼び出す音声を合成して出力する。
【００４３】
以上のようにして、本実施の形態の診療支援システムに於ける次患者呼出機能が実現される。なお、上記では、サーバ装置と診察室の端末装置とをＬＡＮで接続したシステムに即して本発明を説明しているが、単独のコンピュータ装置で上記と同様の次患者呼出機能を実現することも当然に可能である。その場合は、図２のステップＳ１７の処理を、図３のステップＳ５５とＳ５７の処理で置換すればよい。但し、ネットワーク構成であることに起因する条件、例えば、診察室を特定するための条件や、端末装置と診察室を対応つけるための条件は、上記置換後の処理中から除外することとする。
【００４４】
単独のコンピュータ装置として構成した例を、図５（ブロック図）と図６（フローチャート）に示す。図５内で図１と同じ構成要素については同じ符号を付して示す。同様に、図６内で図２と同じ処理については同じ符号を付して示す。図５内の各構成要素の機能等や、図６内の各処理の機能等は、それぞれ、図１や図２から類推容易であるため、説明は省略する。
【００４５】
【発明の効果】
前記［１］の診療支援システムは、電子カルテ機能のモードを切り換える切換入力操作に関連付けて設定された呼出タイミングを保持しているタイミング保持手段と、患者の診察待ち順を保持している待ち順記憶手段と、電子カルテ機能のモードの切換入力操作により前記呼出タイミングが検出された場合は前記待ち順記憶手段での待ち順が先頭の患者を呼び出す音声を出力する音声出力手段とを有するため、診察待ちの患者を適切な時期に自動的に呼び出すことができ、このため、医師や看護婦等が次の患者を調べて呼び出すという煩雑な作業を無くすことができ、これにより、診療の全体的な効率を向上させることができる。
【００４６】
前記［２］〜［４］の診療支援システムは、前記［１］の診療支援システムに於いて、電子カルテ機能のモードの切換入力操作は参照モードを編集モードに切り換える入力操作である（［２］）、又は、編集モードで入力したデータを保存して編集モードを終了する入力操作である（［３］）、又は、患者を選択して参照モードを起動する入力操作である（［４］）ため、前記［１］の診療支援システムが持つ効果に加えて、さらに、前記呼出タイミングを具体的に与えることができる効果がある。
【００４７】
前記［５］の診療支援システムは前記［４］の診療支援システムに於いて、編集モードに切り換えることなく参照モードを終了する入力操作が検出された場合に現在の患者の状態を操作者に切り換えさせる手段を更に有するため、前記［１］や［４］の診療支援システムが持つ効果に加えて、さらに、患者の状態として適正な状態を設定できる効果がある。
【００４８】
前記［６］の診療支援システムは、前記［２］又は［３］の診療支援システムに於いて、編集モードに切り換えることなく参照モードを終了する入力操作が検出された場合に前記音声出力の可否を操作者に問う可否確認手段を更に有し、前記音声出力手段は前記可否確認手段の問いに対して前記音声出力可の旨が操作入力された場合は前記音声出力を行うため、前記［２］や［３］の診療支援システムが持つ効果に加えて、さらに、前記呼出タイミングに該当しなくても、操作者必要な場合には呼び出すことができる効果がある。
【００４９】
前記［７］の診療支援システムは前記［６］の診療支援システムに於いて、音声出力を行う場合に現在の患者の状態を操作者に切り換えさせる手段を更に有するため、前記［３］の診療支援システムが持つ効果に加えて、さらに、患者の状態として適正な状態を設定できる効果がある。
【図面の簡単な説明】
【図１】実施の形態の診療支援システムのネットワーク構成図。
【図２】図１の端末装置ｉでの次患者呼出手順を説明するフローチャート。
【図３】図１のサーバ装置での次患者呼出手順を説明するフローチャート。
【図４】待ち行列テーブルの一例を示す説明図（ａ）と、端末装置−診察室テーブルの一例を示す説明図（ｂ）。
【図５】図１とは異なる実施の形態の診療支援システムの構成図。
【図６】図５の診療支援システムでの次患者呼出手順を説明するフローチャート。
【符号の説明】
１０　コンピュータ
１７　音声出力装置
１０２　メモリ（ＲＡＭ）
１０４　ハードディスク
【図１】
2004110535.tif 000003
【図２】
2004110535.tif 000004
【図３】
2004110535.tif 000005
【図４】
2004110535.tif 000006
【図５】
2004110535.tif 000007
【図６】
2004110535.tif 000008